(57)【要約】【解決手段】本発明は、消臭機能を有する建築部材において、木毛として檜材を使用した、通気性を有する木毛セメント板１、１の間に充填される木毛２を、同じく、檜材としたものである。【効果】消臭機能を有する建築部材において、木毛として檜材を使用した、通気性を有する木毛セメント板１、１の間に充填される木毛を、同じく、檜材としたので、木毛として檜材を使用した木毛セメント板１、１と相まって、室内等の消臭機能を高めることができる。【選択図】図１
2014088719.tif 000002
【特許請求の範囲】
【請求項１】
消臭機能を有する建築部材において、木毛として檜材を使用した通気性を有する木毛セメント板の間に、檜材からなる木毛を充填したことを特徴とする消臭機能を有する建築部材。
【請求項２】
木毛セメント板の間に充填される木毛を、マット状に縫合されたマット状木毛材としたことを特徴とする請求項１に記載の消臭機能を有する建築部材。
【発明の詳細な説明】
【技術分野】
【０００１】
本発明は、室内等の臭いを除去するための消臭機能を有する建築部材に関するものである。
【背景技術】
【０００２】
従来、壁部材や床部材や天井部材等に、断熱工事を施すことは、非特許文献に記載されているように周知である。例えば、外装材と内装材との間に、フェルト状や繊維系の断熱材を嵌め込むことが行われている。
【先行技術文献】
【非特許文献】
【０００３】
【非特許文献１】「建築工事標準仕様書・同解説ＪＡＳＳ２４  断熱工事」、第１３６〜１３７頁、編集・著作人  社団法人日本建築学会、  発行所  社団法人日本建築学会、発売所  丸善株式社、発売日  １９９８年４月１日（第２版）
【発明の概要】
【発明が解決しようとする課題】
【０００４】
上述した従来の建築部材においては、断熱機能や湿気調節機能を主たる目的としたものであり、近年、建築部材に、断熱機能や湿気調節機能に加えて、消臭機能が求められているが、建築部材に、消臭機能を満足するものがなかった。
【０００５】
本発明の目的は、上述した従来の建築部材が有する課題を解決することにある。
【課題を解決するための手段】
【０００６】
本発明は、上述した目的を達成するために、第１には、消臭機能を有する建築部材において、木毛として檜材を使用した、通気性を有する木毛セメント板の間に充填される木毛を、同じく、檜材としたものであり、第２には、木毛セメント板の間に充填される木毛を、マット状に縫合されたマット状木毛材としたものである。
【発明の効果】
【０００７】
消臭機能を有する建築部材において、木毛として檜材を使用した、通気性を有する木毛セメント板の間に充填される木毛を、同じく、檜材としたので、木毛として檜材を使用した木毛セメント板と相まって、室内等の消臭機能を高めることができる。
【０００８】
また、木毛セメント板の間に充填される木毛を、マット状に縫合されたマット状木毛材としたので、マット状に縫合されていない木毛を充填する場合に比べて、消臭機能を有する建築部材の製造効率が向上する。
【図面の簡単な説明】
【０００９】
【図１】図１は、本発明の消臭機能を有する建築部材の垂直断面図である。
【図２】図２は、本発明の消臭機能を有する建築部材を使用した消臭箱の斜視図である。
【実施例】
【００１０】
以下に、図１を用いて、本発明の消臭機能を有する建築部材について説明する。
【００１１】
１、１は、所定の間隔を置いて配置された一対の木毛セメント板であり、一対の木毛セメント板１、１間には、木毛２が、充填されている。
【００１２】
木毛セメント板１、１に使用される木毛は、消臭効果の高い檜材が使用されているとともに、木毛セメント板１、１に使用される木毛は、幅が、１．０ｍｍ〜２．０ｍｍ程度、及び、厚さが、０．３ｍｍ〜０．５ｍｍｍｍ程度の細木毛が使用されている。このような細木毛を使用することにより、製造される木毛セメント板１、１の表面の美観が向上することになり、間仕切り部材や壁部材として使用する際に、木毛セメント板１、１の外面に、壁紙等の仕上げ材を配設する必要がない。
【００１３】
また、一対の木毛セメント板１、１の間に充填される木毛２も、消臭効果の高い檜材が使用されている。一対の木毛セメント板１、１間に充填される木毛２を、一対の木毛セメント板１、１間の内寸幅と略同じになるように、マット状、且つ、木毛セメント板１、１の大きさと略同じ大きさなるように成形する。以下、マット状に成形された木毛２を、マット状木毛材と称し、符号２ｍを使用する。なお、木毛２を、マット状木毛材２ｍに成形することなく、一対の木毛セメント板１、１間に、木毛２自体を、そのまま、充填することもできるが、消臭機能を有する建築部材の製造効率の観点から、一対の木毛セメント板１、１の間には、マット状木毛材２ｍを充填するが好ましい。
【００１４】
更に、一対の木毛セメント板１、１間に充填されるマット状木毛材２ｍを、そのまま、一対の木毛セメント板１、１間に充填すると、マット状木毛材２ｍ自体の重さにより、マット状木毛材２ｍが、全体として、下方に移動し、消臭機能を有する建築部材の上方に空間が生ずる場合には、マット状木毛材２ｍを、適当な繊維や金属等の糸材により縫合したり、ステープラー等により、マット状木毛材２ｍを構成する木毛２の移動を防止することができる。従って、一対の木毛セメント板１、１間に充填される木毛２の消臭効果の持続効果を向上することができる。
【００１５】
木毛セメント板１、１自体は、通気性機能及び吸水性機能を有するが、特に、消臭機能を有する建築部材の場合には、木毛セメント板１、１の通気性機能を高めるために、木毛セメント板１、１の嵩比重を低くすることが好ましい。嵩比重を低くするためには、木毛セメント板１、１の製造過程における圧縮成形の圧縮を、通常の圧縮成形圧である略３ｋｇ／ｃｍ2 より低くしたり、或いは、セメントと木毛２との調合比率において、通常の木毛２の比率である略６０重量％を高くする等のより、消臭機能を有する建築部材の嵩比重を低くすることができる。勿論、本願発明の消臭機能を有する建築部材が、建物のどの部分で使用されるかによって、木毛セメント板１、１の求められる耐火性能や断熱性能や防音性能や強度等の種々の性能を考慮して、木毛セメント板１、１の嵩比重を、適宜、設定する。
【００１６】
また、木毛２が充填される一対の木毛セメント板１、１の一方を、外壁部材として使用する場合には、外側に位置する木毛セメント板１、１の嵩比重を高くして、換言すれば、上述した圧縮成形圧を高くしたり、或いは、セメントと木毛２との調合比率において、セメントの比率を高くすることにより、外側に位置する木毛セメント板１、１の耐火性能や断熱性能を向上することができる。このように、木毛２が充填された一対の木毛セメント板１、１は、同じ、木毛セメント板１、１とすることなく、使用場所によって、適時、調整することができる。
【００１７】
一対の木毛セメント板１、１の間に充填される檜材からなる木毛２は、上述した細木毛を使用することも、また、上述した細木毛の幅より広い木毛２や厚さの厚い木毛２を使用することができる。
【００１８】
上述した消臭機能を有する建築部材を使用して、図２に示されているように、消臭箱Ｂを作製し、該消臭箱Ｂ内に、上述した檜材からなる木毛２を充填し、その後、蓋Ｒを被蓋することにより、消臭箱Ｂに形成することもできる。このような消臭箱Ｂを、室内の適当な場所に配置することにより、室内の消臭を効果的に行なうことができる。また、消臭箱Ｂの消臭効果が低下した際には、蓋Ｒを開けて、噴霧器等により、檜材からなる木毛２に水分を供給することにより、容易に、且つ、簡単に、檜材からなる木毛２の消臭効果を回復させることができる。
【００１９】
上述したように、木毛２として檜材を使用した、通気性を有する木毛セメント板１、１の間に充填される木毛２を、同じく、檜材としてものであり、このように構成することにより、木毛２として檜材を使用した木毛セメント板１、１と相まって、室内等の消臭機能を高めることができる。
【００２０】
また、木毛セメント板１、１の間に充填される木毛２を、マット状に縫合されたマット状木毛材２ｍとすることにより、マット状に縫合されていない木毛２を充填する場合に比べて、消臭機能を有する建築部材の製造効率が向上する。
【符号の説明】
【００２１】
１・・・・・・・・・・・・・・・木毛セメント板
２・・・・・・・・・・・・・・・木毛
２ｍ・・・・・・・・・・・・・・マット状木毛材
【図１】
2014088719.tif 000003
【図２】
2014088719.tif 000004